(57)【要約】      （修正有）【課題】幅方向のみならず奥行方向にも設置スペースを縮小でき、簡素な構成で小型コンパクト化を図ることのできる容器ホルダと、それを用いた遊技台用台間機を提供する。【解決手段】ホルダ部材３０は、使用時に円形状になる一対のホルダ片３１Ｌ，３１Ｒを有している。ホルダ片３１Ｌ，３１Ｒは、同一半径で半円状に形成されたループ部３２と、ループ部３２の一端を基端としてループ部３２の他端とは反対側へ延出するアーム部３３とを含む。ホルダ片３１Ｌ，３１Ｒは、それぞれアーム部３３の先端とループ部３２の他端とを結ぶ第二回動軸線Ｏ２周りで回動可能に蓋体２０の立上り壁２１Ｕ等に軸支されている。一対のホルダ片３１Ｌ，３１Ｒは、引出位置において、ループ部３２の開口同士が向き合う展開状態となってカップＣの外周を囲うことができる。【選択図】図５
0003152072.tif 000002
【実用新案登録請求の範囲】
【請求項１】
上下方向を長手方向とするガイド溝が貫通形成された前壁部を有するケース体と、そのケース体の下端部において第一回動軸線周りで前後方向に回動する蓋体と、飲食用の容器を保持するために前記蓋体の背面側に取り付けられたホルダ部材とを備え、
前記蓋体が前記第一回動軸線周りで回動することにより、前記ホルダ部材が前記ガイド溝を通過して前記前壁部の後方側に収納されるとともに前記ガイド溝を前記蓋体が覆う収納位置と、前記ホルダ部材が前記ガイド溝を通過して前記前壁部の手前側に引き出され前記蓋体の背面側において前記ホルダ部材にて前記容器を保持できる引出位置とに姿勢変更可能な容器ホルダにおいて、
前記蓋体の背面側には、前記収納位置において長手方向に所定距離隔てて一対の立上り壁が後方側に突出形成され、
前記ホルダ部材は、湾曲形状又は屈曲形状をなすループ部と、そのループ部の一端を基端として前記ループ部の他端とは反対側へ延出するアーム部とを含む一対のホルダ片を有し、
それら一対のホルダ片は、前記引出位置では前記ループ部の開口同士が向き合う展開状態となって前記容器の外周を囲う一方、前記収納位置では前記ループ部同士が平行状をなす折り畳み状態となるように、前記アーム部の先端と前記ループ部の他端とを結ぶ第二回動軸線周りで回動可能に前記蓋体の立上り壁に軸支され、
前記ケース体の前壁部に貫通形成されるガイド溝は、前記折り畳み状態のループ部が通過可能な長手方向の通過溝部に続いて、前記折り畳み状態のアーム部に当接し、前記ホルダ片を前記第二回動軸線周りで回動させて前記展開状態に移行させるための展開用傾斜面と、前記展開状態のアーム部に当接し、前記ホルダ片を前記第二回動軸線周りで回動させて前記折り畳み状態に移行させるための折り畳み用傾斜面とを含む傾斜溝部が接続形成され、
前記蓋体が前記第一回動軸線周りで前記収納位置から引出位置に回動するとき、前記折り畳み状態のホルダ片のループ部が前記通過溝部を通過しつつ前記アーム部が前記展開用傾斜面に当接することにより、各ホルダ片が前記第二回動軸線周りで一方向側に回動して前記容器の外周を囲う展開状態となる一方、
前記蓋体が前記第一回動軸線周りで前記引出位置から収納位置に回動するとき、前記展開状態のホルダ片のアーム部が前記折り畳み用傾斜面に当接することにより、各ホルダ片が前記第二回動軸線周りで他方向側に回動しつつ前記ループ部が前記通過溝部を通過して平行状をなす折り畳み状態となることを特徴とする容器ホルダ。
【請求項２】
前記ガイド溝の通過溝部は、前記一対のホルダ片のループ部が同時に通過可能な直線状に形成されるとともに、
前記傾斜溝部は、前記通過溝部の下端部において各ホルダ片のアーム部に対応して両側に枝分かれ状に形成されている請求項１に記載の容器ホルダ。
【請求項３】
前記傾斜溝部が、前記通過溝部において長手方向の同一位置にて溝幅中央から両側へ対称的に枝分かれすることにより、
前記一対のホルダ片のアーム部は、互いに同期して対応する展開用傾斜面及び折り畳み用傾斜面に当接する請求項２に記載の容器ホルダ。
【請求項４】
前記ホルダ部材は、同一半径で半円状に形成されたループ部を有する一対のホルダ片にて構成され、
各ホルダ片の第二回動軸線は、前記蓋体の回動位置にかかわらず前記第一回動軸線から同一距離を隔てて互いに平行状に配置されている請求項１ないし３のいずれか１項に記載の容器ホルダ。
【請求項５】
前記引出位置にて展開状態となる一対のホルダ片のループ部を含む平面は、前記蓋体の背面に対して平行状である一方、
前記収納位置にて折り畳み状態となる一対のホルダ片のループ部を含む平面は、前記蓋体の背面に対してそれぞれ直交状である請求項４に記載の容器ホルダ。
【請求項６】
前記収納位置において、一対のホルダ片のループ部は、前記開口を後方側に向けた折り畳み状態で前記ケース体に収納されている請求項１ないし５のいずれか１項に記載の容器ホルダ。
【請求項７】
前記蓋体の立上り壁は、前記収納位置において上方に位置して前記ホルダ片のループ部を軸支する上部壁と、前記ケース体の前壁部の後方に位置するとともに、前記収納位置において下方に位置して前記ホルダ片のアーム部を軸支する下部壁とを有し、
その下部壁には、前記一対のホルダ片のアーム部の間に位置することによって、両アーム部が前記第二回動軸線回りに回動する際に直接接触することを防止する仕切壁が形成されている請求項１ないし６のいずれか１項に記載の容器ホルダ。
【請求項８】
請求項１ないし７のいずれか１項に記載の容器ホルダを備え、
その容器ホルダは、両側の遊技台に挟まれた下部空間において、前記蓋体が遊技者の位置する前方側に回動可能に設置されていることを特徴とする遊技台用台間機。
【考案の詳細な説明】
【技術分野】
【０００１】
本考案は、主として飲料用のカップやペットボトルのような飲食用の容器を保持するために用いられる、カップホルダ等の容器ホルダと、その容器ホルダを搭載した遊技台用の台間機に関する。
【背景技術】
【０００２】
従来より、例えば、パチンコ機やスロットマシン等の遊技台の間には、各遊技台の顧客（遊技者）サービスのために、台間玉貸機や台間空気清浄機といった台間機が設置されている。また、遊技環境を改善し顧客サービスを向上する一環として、上記のような飲食用の容器を保持するための折り畳み式のカップホルダを台間機に設けることが提案されている（特許文献１参照）。ところが、多くの遊技台を設置するためにこれらの台間機の幅方向の設置スペースは狭い空間に限られてしまうので、このようなカップホルダを取り付けることは容易ではない。そこで、不使用時には円形リング状のカップホルダ本体（ホルダ部材）を垂直状態で収納しておき、使用時には引き出し操作に基づいてカップホルダ本体を水平状態に姿勢変更させる技術が開示されている（特許文献２参照）。
【先行技術文献】
【特許文献】
【０００３】
【特許文献１】特開平９−２２０３５４号公報（図３）
【特許文献２】特許第４１８３２７３号公報
【０００４】
特許文献２に記載の技術によれば、遊技台用台間機（遊技台間）のように幅狭のスペースにもカップホルダを組み込むことが可能になる。しかし、奥行方向（遊技者から見て後方側）には大きなスペースを要し、周辺機器（例えば、台間機の場合、玉貸機、空気清浄機等の諸装置やそれらの配線等）の配置スペースを制限するおそれがある。
【考案の概要】
【考案が解決しようとする課題】
【０００５】
本考案の課題は、幅方向のみならず奥行方向にも設置スペースを縮小でき、簡素な構成で小型コンパクト化を図ることのできる容器ホルダと、それを用いた遊技台用台間機を提供することにある。
【課題を解決するための手段及び考案の効果】
【０００６】
上記課題を解決するために、本考案の容器ホルダは、
上下方向を長手方向とするガイド溝が貫通形成された前壁部を有するケース体と、そのケース体の下端部において第一回動軸線周りで前後方向に回動する蓋体と、飲食用の容器を保持するために前記蓋体の背面側に取り付けられたホルダ部材とを備え、
前記蓋体が前記第一回動軸線周りで回動することにより、前記ホルダ部材が前記ガイド溝を通過して前記前壁部の後方側に収納されるとともに前記ガイド溝を前記蓋体が覆う収納位置と、前記ホルダ部材が前記ガイド溝を通過して前記前壁部の手前側に引き出され前記蓋体の背面側において前記ホルダ部材にて前記容器を保持できる引出位置とに姿勢変更可能な容器ホルダにおいて、
前記蓋体の背面側には、前記収納位置において長手方向に所定距離隔てて一対の立上り壁が後方側に突出形成され、
前記ホルダ部材は、湾曲形状又は屈曲形状をなすループ部と、そのループ部の一端を基端として前記ループ部の他端とは反対側へ延出するアーム部とを含む一対のホルダ片を有し、
それら一対のホルダ片は、前記引出位置では前記ループ部の開口同士が向き合う展開状態となって前記容器の外周を囲う一方、前記収納位置では前記ループ部同士が平行状をなす折り畳み状態となるように、前記アーム部の先端と前記ループ部の他端とを結ぶ第二回動軸線周りで回動可能に前記蓋体の立上り壁に軸支され、
前記ケース体の前壁部に貫通形成されるガイド溝は、前記折り畳み状態のループ部が通過可能な長手方向の通過溝部に続いて、前記折り畳み状態のアーム部に当接し、前記ホルダ片を前記第二回動軸線周りで回動させて前記展開状態に移行させるための展開用傾斜面と、前記展開状態のアーム部に当接し、前記ホルダ片を前記第二回動軸線周りで回動させて前記折り畳み状態に移行させるための折り畳み用傾斜面とを含む傾斜溝部が接続形成され、
前記蓋体が前記第一回動軸線周りで前記収納位置から引出位置に回動するとき、前記折り畳み状態のホルダ片のループ部が前記通過溝部を通過しつつ前記アーム部が前記展開用傾斜面に当接することにより、各ホルダ片が前記第二回動軸線周りで一方向側に回動して前記容器の外周を囲う展開状態となる一方、
前記蓋体が前記第一回動軸線周りで前記引出位置から収納位置に回動するとき、前記展開状態のホルダ片のアーム部が前記折り畳み用傾斜面に当接することにより、各ホルダ片が前記第二回動軸線周りで他方向側に回動しつつ前記ループ部が前記通過溝部を通過して平行状をなす折り畳み状態となることを特徴とする。
【０００７】
このような容器ホルダ（例えばカップホルダ）では、蓋体が収納位置から引出位置に回動するときに、一対のホルダ片は展開状態となって、飲食用の容器（例えば飲料用カップ）を保持することができ、蓋体が引出位置から収納位置に回動するときに、一対のホルダ片は折り畳み状態となって、前壁部の後方側に収納できる。したがって、幅方向（左右方向）のみならず奥行方向（前後方向）にも設置スペースを縮小でき、簡素な構成で小型コンパクト化を図ることができる。
【０００８】
その際、ガイド溝の通過溝部は、一対のホルダ片のループ部が同時に通過可能な直線状に形成されるとともに、
傾斜溝部を、通過溝部の下端部において各ホルダ片のアーム部に対応して両側に枝分かれ状に形成することができる。
【０００９】
これによって、通過溝部は単一の直線状形態に形成し、傾斜溝部はその通過溝部から両側に枝分かれ状に形成できるので、ガイド溝の溝幅をさらに縮小できる。
【００１０】
具体的には、傾斜溝部が、通過溝部において長手方向の同一位置にて溝幅中央から両側へ対称的に枝分かれすることにより、
一対のホルダ片のアーム部は、互いに同期して対応する展開用傾斜面及び折り畳み用傾斜面に当接するとよい。
【００１１】
これによって、一対のホルダ片を展開状態と折り畳み状態とに同期して作動させることができるので、操作が容易であり、ホルダ片（ホルダ部材）の耐久性も向上する。
【００１２】
そして、ホルダ部材は、同一半径で半円状に形成されたループ部を有する一対のホルダ片にて構成され、
各ホルダ片の第二回動軸線は、蓋体の回動位置にかかわらず第一回動軸線から同一距離を隔てて互いに平行状に配置されていることが望ましい。
【００１３】
これによって、一対のホルダ片は展開状態で円形状となるので、形状の異なる容器にも使用することができる。
【００１４】
また、引出位置にて展開状態となる一対のホルダ片のループ部を含む平面は、蓋体の背面に対して平行状とし、
収納位置にて折り畳み状態となる一対のホルダ片のループ部を含む平面は、蓋体の背面に対してそれぞれ直交状とすることができる。
【００１５】
これにより、展開状態において一対のホルダ片は安定して容器を保持することができ、また、折り畳み状態において一対のホルダ片の収納スペースを縮小することができる。
【００１６】
収納位置において、一対のホルダ片のループ部を、開口を後方側に向けた折り畳み状態でケース体に収納することができる。
【００１７】
このように、折り畳み状態において一対のホルダ片を、ループ部の開口が後方側に向く形態で収納することによって、奥行方向の設置スペースを最小化することができる。
【００１８】
蓋体の立上り壁は、収納位置において上方に位置してホルダ片のループ部を軸支する上部壁と、ケース体の前壁部の後方に位置するとともに、収納位置において下方に位置してホルダ片のアーム部を軸支する下部壁とを有し、
その下部壁には、一対のホルダ片のアーム部の間に位置することによって、両アーム部が第二回動軸線回りに回動する際に直接接触することを防止する仕切壁を形成することができる。
【００１９】
仕切壁によってアーム部の直接接触が防止されるので、一対のホルダ片が展開状態と折り畳み状態との姿勢変更の際に互いに逆方向に回動する場合でも、円滑に作動することができ、ホルダ片（ホルダ部材）の耐久性も向上する。
【００２０】
そこで、上記課題を解決するために、本考案の遊技台用台間機は、
以上のような容器ホルダが、両側の遊技台に挟まれた下部空間において、蓋体を遊技者の位置する前方側に回動可能に設置されていることを特徴とする。
【００２１】
このように、幅方向のみならず奥行方向にも設置スペースを大幅に縮小可能な容器ホルダを用いることによって、遊技台間の幅狭スペースに設置される遊技台用台間機（例えば台間玉貸機、台間空気清浄機等）にも容器ホルダを容易に組み込むことができる。したがって、遊技環境の改善や顧客サービスの向上にも寄与することができる。
【図面の簡単な説明】
【００２２】
【図１】本考案に係るカップホルダを備えた遊技台用台間機を例示する正面図。
【図２】本考案に係るカップホルダの一例について、ケース体の側壁を一部破断して示す全体斜視図。
【図３】図２の分解斜視図。
【図４】図２の正面図及び背面図。
【図５】図２のカップホルダの使用状態を一部破断して示す全体斜視図。
【図６】図５の正面図及び背面図。
【図７】ガイド溝の形状を示す正面図。
【図８】カップホルダの作動を側面視にて示す説明図。
【図９】ガイド溝でのホルダ片のアーム部の挙動を正面視にて示す説明図。
【考案を実施するための形態】
【００２３】
（実施例）
以下、本考案の実施形態を図面を参照しつつ説明する。図１は本考案に係るカップホルダを備えた遊技台用台間機（以下、単に台間機ともいう）を例示する正面図である。図１に示すように、島単位で複数（図では２台のみを図示）並設されたパチンコ機１００（遊技台）に挟まれる形で、縦長状の台間機２００が設置されている。台間機２００には、上部に玉貸装置２０１が配置され、その下方に空気清浄装置２０２が配置されている。空気清浄装置２０２のさらに下方には、後述する蓋体２０が遊技者の位置する前方側に回動可能な形態で、カップホルダ１（容器ホルダ）が配置されている。なお、このカップホルダ１は、前壁部１１と側壁部１９とを有するケース体１０を備え、前壁部１１背面に形成された取付フック１１ａによって台間機２００に固定されている（図２参照）。
【００２４】
本明細書において、上下方向とは遊技台１００や台間機２００の立設方向（例えば、鉛直方向）を意味する。また、左右方向とは遊技台１００の並設方向（例えば、水平方向）を意味し、遊技者（カップホルダ１の使用者）側からみて左側、右側をいう。さらに、前後方向とは遊技台１００や台間機２００と交差（例えば、直交）する方向を意味し、遊技者側（手前側）が前方側であり、その反対側（奥側）が後方側となる。
【００２５】
次に、図２は本考案に係るカップホルダの一例の一部破断全体斜視図、図３はその分解斜視図、図４は正面図及び背面図、図５はカップホルダの使用状態を示す一部破断全体斜視図、図６はその正面図及び背面図である。
【００２６】
図２〜図６に示すように、カップホルダ１は、上下方向のガイド溝１２が貫通形成された前壁部１１を有するケース体１０と、そのケース体１０の下端部において第一回動軸線Ｏ１周りで前後方向に回動する蓋体２０と、飲料用のカップＣ（容器）を保持するために蓋体の背面側に取り付けられたホルダ部材３０とを備えている。なお、ケース体１０，蓋体２０，ホルダ部材３０はいずれも高分子材料（例えばＡＢＳ等の合成樹脂）製とすることができる。
【００２７】
蓋体２０が第一回動軸線Ｏ１周りで上向きに回動すると、ホルダ部材３０がガイド溝１２を通過して前壁部１１の後方側に収納されるとともにガイド溝１２を蓋体が覆う収納位置に移行する（図２〜図４参照）。一方、蓋体２０が第一回動軸線Ｏ１周りで下向きに回動すると、ホルダ部材３０がガイド溝１２を通過して前壁部１１の手前側に引き出され蓋体２０の背面側においてホルダ部材３０にてカップＣを保持できる引出位置に移行する（図５，図６参照）。
【００２８】
図３に示すように、蓋体２０の背面側には、収納位置（図２参照）において上下両端部に一対の立上り壁２１Ｕ，２１Ｄが後方側に突出形成されている。これらの立上り壁２１Ｕ，２１Ｄは、ケース体１０の前壁部１１の後方に位置する。そのうち、上部壁２１Ｕは、収納位置において上方に位置し、後述するホルダ片３１Ｌ，３１Ｒのループ部３２を軸支部３２ａにて軸支する。一方、下部壁２１Ｄは、収納位置において下方に位置し、ホルダ片３１Ｌ，３１Ｒのアーム部３３を軸支部３３ａにて軸支する。また、下部壁２１Ｄには、蓋体２０の補強と引出位置の位置規制を兼ねる複数（例えば３つ）の補強壁２３が形成され、そのうち中央の補強壁２３からは、一対のホルダ片３１Ｌ，３１Ｒのアーム部３３の間に位置するように、仕切壁２２が延びている。仕切壁２２はホルダ片３１Ｌ，３１Ｒのアーム部３３が第二回動軸線Ｏ２回りに回動する際に直接接触することを防止する。
【００２９】
ホルダ部材３０は、使用時に円形状になる一対のホルダ片３１Ｌ，３１Ｒを有している（図５参照）。各ホルダ片３１Ｌ，３１Ｒは、同一半径で半円状に形成された断面円形状のループ部３２と、ループ部３２の一端を基端としてループ部３２の他端とは反対側へ延出する断面楕円形状のアーム部３３とを含む。これらのホルダ片３１Ｌ，３１Ｒは、それぞれアーム部３３の先端とループ部３２の他端とを結ぶ第二回動軸線Ｏ２周りで回動可能に蓋体２０の立上り壁２１Ｕ，２１Ｄに軸支されている。なお、３２ａは上部壁２１Ｕとの軸支部、３３ａは下部壁２１Ｄとの軸支部を示す。これにより、一対のホルダ片３１Ｌ，３１Ｒは、引出位置ではループ部３２の開口同士が向き合う展開状態となってカップＣの外周を囲うことができる（図５参照）。一方、収納位置ではループ部３２同士が平行状をなす折り畳み状態となる（図４参照）。
【００３０】
さらに具体的には、各ホルダ片３１Ｌ，３１Ｒの第二回動軸線Ｏ２は、蓋体２０の回動位置にかかわらず第一回動軸線Ｏ１から同一距離を隔てて互いに平行状に配置されている。また、引出位置（図５参照）にて展開状態となる一対のホルダ片３１Ｌ，３１Ｒにおいて、ループ部３２を含む平面は、蓋体２０の背面に対して平行状（例えば水平状）である。さらに、収納位置（図４参照）にて折り畳み状態となる一対のホルダ片３１Ｌ，３１Ｒにおいて、ループ部３２を含む平面は、蓋体２０の背面に対してそれぞれ直交状（例えば鉛直状）である。
【００３１】
図２に示す収納位置において、一対のホルダ片３１Ｌ，３１Ｒのループ部３２は、開口を後方側に向けた折り畳み状態でケース体１０の前壁部１１後方に収納されるので、カップホルダ１の奥行寸法が大幅に短縮される。
【００３２】
図７にガイド溝１２の形状を示す。ガイド溝１２には、一対のホルダ片３１Ｌ，３１Ｒが折り畳み状態（図３参照）であるとき、そのループ部３２を通過可能とする単一の通過溝部１３が上下方向に形成されている。この通過溝部１３は、折り畳み状態の一対のホルダ片３１Ｌ，３１Ｒのループ部３２が同時に通過可能な溝幅を有し、直線状に形成されている。通過溝部１３の下端部において、上下方向の同一位置にて溝幅中央から両側へ対称的に枝分かれする傾斜溝部１４Ｌ，１４Ｒが接続形成され、対応するホルダ片３１Ｌ，３１Ｒのアーム部３３が傾斜溝部１４Ｌ，１４Ｒに当接する。
【００３３】
具体的には、傾斜溝部１４Ｌ，１４Ｒの下面には、折り畳み状態（図３参照）のアーム部３３に当接して、ホルダ片３１Ｌ，３１Ｒを第二回動軸線Ｏ２周りで回動させて展開状態に移行させるための展開用傾斜面１４ａ，１４ａが形成されている。一方、傾斜溝部１４Ｌ，１４Ｒの上面には、展開状態（図５参照）のアーム部３３に当接して、ホルダ片３１Ｌ，３１Ｒを第二回動軸線Ｏ２周りで回動させて折り畳み状態に移行させるための折り畳み用傾斜面１４ｂ，１４ｂが形成されている。したがって、一対のホルダ片３１Ｌ，３１Ｒのアーム部３３は、互いに同期して対応する展開用傾斜面１４ａ，１４ａ及び折り畳み用傾斜面１４ｂ，１４ｂに当接する。
【００３４】
なお、ガイド溝１２には、通過溝部１３の上端部において、上部窓孔１５が接続形成されている。上部窓孔１５は、蓋体２０が収納位置と引出位置との間を移行するときに上部壁２１Ｕの通過を許容する。また、ガイド溝１２の下方には、蓋体２０の下部壁２１Ｄを挿入するための下部窓孔１６が形成されている。
【００３５】
図９（ａ）に示すように、折り畳み状態のアーム部３３が展開用傾斜面１４ａに当接したとき、展開用傾斜面１４ａに沿って押圧力Ｐの分力（接線力Ｐｔ）が生じるので、この接線力Ｐｔによって一対のアーム部３３が互いに逆方向に回動する。図では、左側のアーム部３３（ホルダ片３１Ｌ）が時計回りに回動し、右側のアーム部３３（ホルダ片３１Ｒ）が反時計回りに回動する。
【００３６】
図９（ｃ）に示すように、展開状態のアーム部３３が折り畳み用傾斜面１４ｂに当接したとき、一対のアーム部３３が互いに逆方向に回動するような回転モーメントを生じる。図では、左側のアーム部３３（ホルダ片３１Ｌ）が反時計回りに回動し、右側のアーム部３３（ホルダ片３１Ｒ）が時計回りに回動する。
【００３７】
次に、図２〜図９を用いて、以上のような構成を有するカップホルダ１の作動について説明する。
【００３８】
＜収納位置＝折り畳み状態＞（図２〜図４，図８（ａ））
一対のホルダ片３１Ｌ，３１Ｒは折り畳まれた状態でケース体１０の内部（前壁部１１の後方側）に収納され、前壁部１１のガイド溝１２は蓋体２０で覆われている。
【００３９】
＜中間位置＝折り畳み状態から展開状態へ移行＞（図８（ｂ），図９（ａ））
遊技者（カップホルダ１の使用者）が、蓋体２０を第一回動軸線Ｏ１周りで収納位置から引出位置へ向けて回動操作すると、ホルダ片３１Ｌ，３１Ｒのループ部３２が通過溝部１３を通過した後、図９（ａ）に示す中間位置において、折り畳み状態のアーム部３３が展開用傾斜面１４ａに当接する。これによって、左側のアーム部３３（ホルダ片３１Ｌ）が時計回りに回動し、右側のアーム部３３（ホルダ片３１Ｒ）が反時計回りに回動する。
【００４０】
＜引出位置＝展開状態＞（図５，図６，図８（ｃ），図９（ｂ））
一対のホルダ片３１Ｌ，３１Ｒが第二回動軸線Ｏ２周りで回動することによってアーム部３３が展開用傾斜面１４ａに着座して展開状態となるので、蓋体２０の背面に載置したカップＣ等の容器をホルダ部材３０で保持することができる。
【００４１】
＜上昇位置＝展開状態から折り畳み状態へ移行＞（図９（ｃ））
遊技者（カップホルダ１の使用者）が、蓋体２０を第一回動軸線Ｏ１周りで引出位置から収納位置へ向けて回動操作すると、図９（ｃ）に示す上昇位置において、展開状態のアーム部３３が折り畳み用傾斜面１４ｂに当接する。これによって、左側のアーム部３３（ホルダ片３１Ｌ）が反時計回りに回動し、右側のアーム部３３（ホルダ片３１Ｒ）が時計回りに回動する。なお、その後上記中間位置を経て、収納位置（折り畳み状態）に戻る。
【００４２】
このように、蓋体２０が収納位置から引出位置に回動するときに、一対のホルダ片３１Ｌ，３１Ｒは展開状態となって、カップＣ等の容器を保持することができ、蓋体２０が引出位置から収納位置に回動するときに、一対のホルダ片３１Ｌ，３１Ｒは折り畳み状態となって、前壁部１１の後方側に収納できる。したがって、幅方向（左右方向）のみならず奥行方向（前後方向）にもカップホルダ１の設置スペースを縮小でき、簡素な構成で小型コンパクト化を図ることができる。
【符号の説明】
【００４３】
１        カップホルダ（容器ホルダ）
１０      ケース体
１１      前壁部
１２      ガイド溝
１３      通過溝部
１４Ｌ，１４Ｒ  傾斜溝部
１４ａ    展開用傾斜面
１４ｂ    折り畳み用傾斜面
２０      蓋体
２１Ｕ    上部壁（立上り壁）
２１Ｄ    下部壁（立上り壁）
２２      仕切壁
３０      ホルダ部材
３１Ｌ，３１Ｒ  ホルダ片
３２      ループ部
３２ａ    軸支部
３３      アーム部
３３ａ    軸支部
１００    パチンコ機（遊技台）
２００    台間機（遊技台用台間機）
Ｃ        飲料用カップ（容器）
Ｏ１      第一回動軸線
Ｏ２      第二回動軸線
【図１】
0003152072.tif 000003
【図２】
0003152072.tif 000004
【図３】
0003152072.tif 000005
【図４】
0003152072.tif 000006
【図５】
0003152072.tif 000007
【図６】
0003152072.tif 000008
【図７】
0003152072.tif 000009
【図８】
0003152072.tif 000010
【図９】
0003152072.tif 000011